(57)【要約】【課題】マルチユーザ対応の録画再生装置において番組単位で各ユーザの録画要求および録画番組を管理する。【解決手段】録画再生装置（１０）は、録画番組を保持する情報記録装置（１３）と、複数のユーザからの個別の録画要求に応じて番組を情報記録装置に記録する録画実行部（１６１）と、複数のユーザからの個別の再生要求に応じて録画番組を情報記録装置から読み出して再生する再生実行部（１６３）と、複数のユーザからの個別の削除要求に応じて録画番組を情報記録装置から削除する削除実行部（１６５）と、録画要求された番組の番組ＩＤと該番組の録画を要求したユーザのユーザＩＤとを対応付けて管理する録画要求管理テーブル（１６７）と、番組の録画を要求したユーザのユーザＩＤと情報記録装置に記録された該番組の録画番組ＩＤとを対応付けて管理する録画番組管理テーブル（１６９）とを備える。【選択図】図２
2015095871.tif 000002
【特許請求の範囲】
【請求項１】
録画番組を保持する情報記録装置と、
複数のユーザからの個別の録画要求に応じて番組を前記情報記録装置に記録する録画実行部と、
複数のユーザからの個別の再生要求に応じて録画番組を前記情報記録装置から読み出して再生する再生実行部と、
複数のユーザからの個別の削除要求に応じて録画番組を前記情報記録装置から削除する削除実行部と、
録画要求された番組の番組ＩＤと該番組の録画を要求したユーザのユーザＩＤとを対応付けて管理する録画要求管理テーブルと、
番組の録画を要求したユーザのユーザＩＤと前記情報記録装置に記録された該番組の録画番組ＩＤとを対応付けて管理する録画番組管理テーブルとを備え、
前記録画実行部が、ユーザから番組の録画要求があったとき、電子番組ガイド情報から該番組の番組ＩＤを取得して該番組ＩＤと該ユーザのユーザＩＤとを対応付けて前記録画要求管理テーブルに登録し、
ユーザから番組の録画要求のキャンセルが指示されたとき、該番組の番組ＩＤに対応付けられた該ユーザのユーザＩＤを前記録画要求管理テーブルから削除し、
前記録画要求管理テーブルに登録された番組ＩＤを持つ番組を、該番組の録画を要求したユーザ数にかかわらず１件のみ前記情報記録装置に記録し、
番組を前記情報記録装置に記録したとき、該番組の録画を要求した各ユーザのユーザＩＤと前記情報記録装置に記録した該番組の録画番組ＩＤと対応付けて前記録画番組管理テーブルに登録するものであり、
前記削除実行部が、ユーザから録画番組の削除要求があったとき、前記録画番組管理テーブルから該ユーザのユーザＩＤと該録画番組の録画番組ＩＤとを対応付けたレコードを削除し、前記録画番組管理テーブルから該録画番組ＩＤを含むレコードがすべて削除されたとき、該録画番組を前記情報記録装置から削除するものである
ことを特徴とする録画再生装置。
【請求項２】
前記録画番組管理テーブルが、ユーザごとの各録画番組の再生状況を保持するものであり、
前記再生実行部が、ユーザから録画番組の再生要求があったとき、前記録画番組管理テーブルから該録画番組の再生状況を取得して該再生状況に応じて該録画番組を続きから再生し、
ユーザから録画番組の再生停止が指示されたとき、前記録画番組管理テーブルにおける該再生状況をそのときの再生状況に更新するものである
ことを特徴とする請求項１に記載の録画再生装置。
【請求項３】
前記削除実行部が、録画番組を論理削除し、その後必要に応じて物理削除するものである
ことを特徴とする請求項１または請求項２に記載の録画再生装置。
【発明の詳細な説明】
【技術分野】
【０００１】
本発明は、放送番組の録画および再生を行う録画再生装置に関し、特に、複数のユーザに対して個別に録画要求および録画番組を管理する録画再生装置に関する。
【背景技術】
【０００２】
複数のユーザでシェアされるマルチユーザ対応の録画再生装置では、ユーザごとに異なる録画要求や録画番組を管理する必要がある。録画再生装置に搭載されているチューナーはせいぜい数個であり、また、番組を記録する情報記録装置の容量も有限であるため、そのような有限のリソースを有効に活用するには、複数のユーザから同一の番組の録画が要求されても番組を重複して録画しないようなマルチユーザ管理を実現する必要ある。従来、動画データの論理フォーマットにおけるＣｅｌｌ情報を各ユーザに支配させることでそのようなマルチユーザ管理を行っている（例えば、特許文献１参照）。
【先行技術文献】
【特許文献】
【０００３】
【特許文献１】特開２００６−５２７４５６号公報
【発明の概要】
【発明が解決しようとする課題】
【０００４】
従来のマルチユーザ管理では、複数録画予約により指示される予約区間が重複している場合、重複している時間帯とそれ以外の時間帯とを検出し、重複している時間帯とそれ以外の時間帯とに分けて録画処理を実行してＣｅｌｌ情報によって各ユーザの予約区間を管理している。しかし、ユーザは時間帯ではなく番組単位で録画予約をすることが多いため、番組単位で各ユーザの録画要求を管理することで、予約が重複している時間帯とそれ以外の時間帯との検出やＣｅｌｌ情報による各ユーザの予約区間の管理などは不要になると考えられる。
【０００５】
上記問題に鑑み、本発明は、マルチユーザ対応の録画再生装置において番組単位で各ユーザの録画要求および録画番組を管理することを課題とする。
【課題を解決するための手段】
【０００６】
本発明の一局面に従った録画再生装置は、録画番組を保持する情報記録装置と、複数のユーザからの個別の録画要求に応じて番組を前記情報記録装置に記録する録画実行部と、複数のユーザからの個別の再生要求に応じて録画番組を前記情報記録装置から読み出して再生する再生実行部と、複数のユーザからの個別の削除要求に応じて録画番組を前記情報記録装置から削除する削除実行部と、録画要求された番組の番組ＩＤと該番組の録画を要求したユーザのユーザＩＤとを対応付けて管理する録画要求管理テーブルと、番組の録画を要求したユーザのユーザＩＤと前記情報記録装置に記録された該番組の録画番組ＩＤとを対応付けて管理する録画番組管理テーブルとを備え、前記録画実行部が、ユーザから番組の録画要求があったとき、電子番組ガイド情報から該番組の番組ＩＤを取得して該番組ＩＤと該ユーザのユーザＩＤとを対応付けて前記録画要求管理テーブルに登録し、ユーザから番組の録画要求のキャンセルが指示されたとき、該番組の番組ＩＤに対応付けられた該ユーザのユーザＩＤを前記録画要求管理テーブルから削除し、前記録画要求管理テーブルに登録された番組ＩＤを持つ番組を、該番組の録画を要求したユーザ数にかかわらず１件のみ前記情報記録装置に記録し、番組を前記情報記録装置に記録したとき、該番組の録画を要求した各ユーザのユーザＩＤと前記情報記録装置に記録した該番組の録画番組ＩＤと対応付けて前記録画番組管理テーブルに登録するものであり、前記削除実行部が、ユーザから録画番組の削除要求があったとき、前記録画番組管理テーブルから該ユーザのユーザＩＤと該録画番組の録画番組ＩＤとを対応付けたレコードを削除し、前記録画番組管理テーブルから該録画番組ＩＤを含むレコードがすべて削除されたとき、該録画番組を前記情報記録装置から削除するものである。
【０００７】
これによると、番組の録画が実行されるまでは録画要求管理テーブルによって複数のユーザによる重複した録画要求を管理することができ、録画が実行された後は録画番組管理テーブルによって複数のユーザにシェアされる録画番組の削除要求を管理することができる。
【０００８】
前記録画番組管理テーブルが、ユーザごとの各録画番組の再生状況を保持するものであってもよく、前記再生実行部が、ユーザから録画番組の再生要求があったとき、前記録画番組管理テーブルから該録画番組の再生状況を取得して該再生状況に応じて該録画番組を続きから再生し、ユーザから録画番組の再生停止が指示されたとき、前記録画番組管理テーブルにおける該再生状況をそのときの再生状況に更新するものであってもよい。
【０００９】
これによると、複数のユーザにシェアされる録画番組についてユーザごとに再生状況を管理することができる。
【００１０】
前記削除実行部が、録画番組を論理削除し、その後必要に応じて物理削除するものであってもよい。
【００１１】
これによると、ユーザの誤操作により削除された録画番組を復元することができ、ユーザの利便性を向上することができる。
【発明の効果】
【００１２】
以上のように本発明によると、マルチユーザ対応の録画再生装置において番組単位で各ユーザの録画要求および録画番組を管理することができる。これにより、録画再生装置における有限のリソースを有効に活用することができる。
【図面の簡単な説明】
【００１３】
【図１】本発明の一実施形態に係る録画再生装置の概略構成図
【図２】制御部の録画、再生、削除機能に関する機能ブロック図
【図３】録画要求管理テーブルの一例を示す図
【図４】録画番組管理テーブルの一例を示す図
【図５】本発明の一実施形態に係る録画再生装置の動作例を示すシーケンス図
【発明を実施するための形態】
【００１４】
以下、図面を参照しながら本発明を実施するための形態について説明する。なお、本発明は、以下の実施形態に限定されるものではない。
【００１５】
図１は、本発明の一実施形態に係る録画再生装置の概略構成を示す。本実施形態に係る録画再生装置１０は、地上デジタル放送、ＢＳ／ＣＳデジタル放送、ケーブル放送などの放送番組を録画し、また、録画番組を再生する装置であり、ユーザごとに録画予約の管理および録画済み番組の管理を行うマルチユーザ対応の装置である。録画再生装置１０は、具体的には、ビデオレコーダー、テレビジョン受像機、セットトップボックス、放送受信機能を有するＰＣ、携帯端末などとして実現することができる。
【００１６】
録画再生装置１０は、受信処理部１１、コーデック１２、情報記録装置１３、ビデオ信号処理部１４、オーディオ信号処理部１５、および制御部１６を備えている。録画再生装置１０がテレビジョン受信機やＰＣなどで実現される場合、録画再生装置１０は、さらに、表示デバイス２００およびスピーカー３００を備えている。
【００１７】
受信処理部１１は、図示しないチューナーを備えており、アンテナ１００から放送波を受信して、所望のチャンネルの放送信号を取得する。受信処理部１１がチューナーを複数個備えている場合、受信処理部１１は同時に複数チャンネルの放送信号を取得することができる。
【００１８】
受信処理部１１が受信した放送信号には映像信号と音声信号が含まれ、さらにその他の信号（例えば、字幕データ信号や電子番組ガイド情報など）が含まれ得る。これら信号は、ＭＰＥＧ−２やＨ．２６４／ＭＰＥＧ−４  ＡＶＣなどの所定の符号化形式で圧縮符号化されている。コーデック１２は、受信処理部１１からそのような圧縮符号化された信号（ストリームデータ）を受けて分離およびデコードを行い、映像信号と音声信号を出力する。
【００１９】
情報記録装置１３は、番組を記録する装置である。情報記録装置１３は、例えば、ＨＤＤ（Hard Disk Drive）や、ブルーレイ（登録商標）などの光ディスク装置などで構成することができる。番組は、映像信号、音声信号、およびその他の信号（例えば、字幕データ信号など）などからなるデータである。情報記録装置１３においてこれら信号が所定の方式で圧縮符号化されて記録されている。コーデック１２は、受信処理部１１から受けたストリームデータをそのまま、または、ストリームデータをデコードしてさらに別の符号化形式で再エンコードして情報記録装置１３に記録する。以下、受信処理部１１から受けてそのまま情報記録装置１３に記録されるストリームデータや別の符号化形式に再エンコードされて情報記録装置１３に記録される圧縮符号化データのことを番組と称する。
【００２０】
なお、情報記録装置１１には、ＥＰＧ（Electronic Program Guide）あるいはＩＰＧ（Interactive Program Guide）などと呼ばれる電子番組ガイド情報も記録される。
【００２１】
映像信号処理部１４は、コーデック１２から映像信号を受けて、それをデジタル／アナログ変換して表示デバイス２００に出力する。表示デバイス２００は、例えば、液晶表示装置や有機ＥＬ表示装置などのフラットディスプレイパネルである。音声信号処理部１５は、コーデック１２から音声信号を受けて、それをデジタル／アナログ変換してスピーカー３００に出力する。
【００２２】
制御部１６は、受信処理部１１、コーデック１２、情報記録装置１３、映像信号処理装置１４、および音声信号処理装置１５の各構成要素の動作を制御する。制御部１６は、例えば、ＣＰＵ（Central Processing Unit）で実現することができる。ＣＰＵで構成された制御部１６は、図示しないＲＯＭやフラッシュメモリに格納されたプログラムを実行して上記各構成要素の動作を制御する。
【００２３】
次に、制御部１６が有する録画、再生、削除機能について説明する。図２は、制御部１６の録画、再生、削除機能のブロック図である。
【００２４】
制御部１６は、録画実行部１６１、再生実行部１６３、削除実行部１６５、録画要求管理テーブル１６７、および録画番組管理テーブル１６９を備えている。録画要求管理テーブル１６７および録画番組管理テーブル１６９は、例えば、フラッシュメモリなどの不揮発性メモリで構成してもよいし、情報記録装置１３に配置してもよい。
【００２５】
録画実行部１６１は、複数のユーザからの個別の録画要求に応じて、コーデック１２から受けた圧縮符号化データを情報記録装置１１に記録する、すなわち番組を録画する。録画方法には、
１）番組ガイド機能を利用して指定された番組を録画する予約録画、
２）任意のジャンルやキーワードを登録しておいて番組詳細情報から当該登録情報にマッチする番組を自動的に見つけて録画する自動録画、
３）録画開始日時と期間または録画終了日時を指定して録画する時刻指定録画、
４）毎日または毎週の決まった時間帯の番組を録画する定期録画、
５）ユーザが録画操作をして視聴中の番組を即座に録画するダイレクト録画
などがある。
【００２６】
録画実行部１６１は、ユーザから上記のいずれかの方法で番組の録画要求があったとき、電子番組ガイド情報からその番組の番組ＩＤを取得する。例えば、上記の時刻指定録画または定期録画のように特定のチャンネルの時間帯を指定して録画予約がなされた場合、録画実行部１６１は、電子番組ガイド情報を参照して、当該チャンネルの当該時間帯において放送される番組の番組ＩＤを取得することができる。そして、録画実行部１６１は、取得した番組ＩＤと録画要求をしたユーザのユーザＩＤとを対応付けて録画要求管理テーブル１６７に登録する。録画実行部１６１は、録画要求管理テーブル１６７を検索して取得した番組ＩＤのレコードが存在しなければ新たにレコードを追加し、当該レコードが存在すればそのレコードに録画要求をしたユーザのユーザＩＤを追加する更新を行う。一方、録画実行部１６１は、ユーザから番組の録画要求のキャンセルが指示されたとき、録画要求管理テーブル１６７からその番組の番組ＩＤに対応付けられたそのユーザのユーザＩＤを削除する。
【００２７】
図３は、録画要求管理テーブル１６７の一例を示す。例えば、ユーザＩＤ「１」のユーザおよびユーザＩＤ「２」のユーザが番組ＩＤ「Ａ」の番組の録画要求をしている。もし、ユーザＩＤ「１」のユーザが番組ＩＤ「Ａ」の番組の録画要求のキャンセルを指示した場合、番組ＩＤ「Ａ」に対応するユーザＩＤからユーザＩＤ「２」が削除される。また、ユーザＩＤ「１」のユーザが番組ＩＤ「Ｂ」の番組の録画要求をしている。もし、ユーザＩＤ「２」のユーザが番組ＩＤ「Ｂ」の番組の録画を要求した場合、番組ＩＤ「Ｂ」に対応するユーザＩＤにユーザＩＤ「２」が追加されることとなる。
【００２８】
図２へ戻り、録画実行部１６１は、録画要求管理テーブル１６７に登録された番組ＩＤを持つ番組を、その番組の録画を要求したユーザ数にかかわらず１件のみ情報記録装置１１に記録する。すなわち、録画実行部１６１は、複数のユーザから同一番組の録画要求がなされた場合、録画要求管理テーブル１６７においてその番組の録画を要求しているユーザを増減し、当該番組を重複して録画せずに１件のみ録画する。例えば、ある番組を録画中に別のユーザがその番組のダイレクト録画を要求した場合、録画要求管理テーブル１６７において当該別のユーザのユーザＩＤが当該番組の番組ＩＤに新たに対応付けられるのみである。
【００２９】
さらに、録画実行部１６１は、録画要求管理テーブル１６７に登録されている番組を情報記録装置１３に記録したとき、録画要求管理テーブル１６７に登録された情報を引き継いで、その番組の録画を要求した各ユーザのユーザＩＤと情報記録装置１３に記録した番組の録画番組ＩＤと対応付けて録画番組管理テーブル１６９に登録する。録画番組ＩＤは、情報記録装置１３に保持されている録画番組を識別するためのＩＤである。録画番組管理テーブル１６９への情報の引き継ぎが終わると、録画実行部１６１は、録画要求管理テーブル１６７から元の情報を削除することができる。
【００３０】
図４は、録画番組管理テーブル１６９の一例を示す。番組ＩＤ「Ａ」の番組および番組ＩＤ「Ｂ」の番組は、それぞれ、情報記録装置１３において録画番組ＩＤ「ａ」の録画番組および録画番組ＩＤ「ｂ」の録画番組として識別される。図４の例では、ユーザＩＤ「１」のユーザは録画番組ＩＤ「ａ」の録画番組および録画番組ＩＤ「ｂ」の録画番組を視聴可能であり、ユーザＩＤ「２」のユーザは録画番組ＩＤ「ａ」の録画番組のみ視聴可能である。
【００３１】
図２へ戻り、再生実行部１６３は、複数のユーザからの個別の再生要求に応じて情報記録装置１３から指定された録画番組を読み出して再生する。情報記録装置１３から読み出された録画番組はコーデック１２によってデコードされて映像信号および音声信号となり、表示デバイス２００に映像が表示され、スピーカー３００から音声が出力される。
【００３２】
図４に示したように、録画番組管理テーブル１６９に、ユーザごとの各録画番組の再生状況を保持してもよい。その場合、再生実行部１６３は、ユーザから録画番組の再生要求があったとき、録画番組管理テーブル１６９からその録画番組の再生状況を取得してその再生状況に応じてその録画番組を続きから再生することもできる。例えば、図４に示した録画番組管理テーブル１６９では、ユーザＩＤ「１」のユーザが録画番組ＩＤ「ａ」の録画番組の再生を要求した場合、再生実行部１６３は、録画番組管理テーブル１６９を参照して再生状況が「１０’１５”」となっていることから、その録画番組を続きから、すなわち、１０分１５秒のところから再生する。一方、ユーザＩＤ「２」のユーザが録画番組ＩＤ「ａ」の録画番組の再生を要求した場合、再生実行部１６３は、録画番組管理テーブル１６９を参照して再生状況が「未再生」となっていることから、その録画番組を最初から再生する。
【００３３】
さらに、再生実行部１６３は、ユーザから録画番組の再生停止が指示されたとき、録画番組管理テーブル１６９における再生状況をそのときの再生状況に更新することができる。例えば、ユーザＩＤ「１」のユーザが録画番組ＩＤ「ｂ」の録画番組の再生を要求した場合、再生実行部１６３は、その録画番組を最初から再生し、ユーザが再生停止を指示したとき、録画番組管理テーブル１６９におけるユーザＩＤ「１」および録画番組ＩＤ「ｂ」に対応する再生状況にその時点の再生経過時間を登録する。
【００３４】
削除実行部１６５は、複数のユーザからの個別の削除要求に応じて、情報記録装置１３に記録されている録画番組を削除する。削除実行部１６５は、ユーザが削除操作をすることで指定された録画番組を削除するだけではなく、削除スケジュールが過ぎた録画番組を自動で削除することもできる。ただし、削除実行部１６５は、ユーザから録画番組の削除要求があったとき、いきなりその録画番組を削除するのではなく、まず、録画番組管理テーブル１６９からそのユーザのユーザＩＤとその録画番組の録画番組ＩＤとを対応付けたレコードを削除する。これにより、削除要求をしたユーザはその録画番組を視聴できなくなるが、削除要求をしていない他のユーザは引き続きその録画番組を視聴することができる。そして、録画番組管理テーブル１６９からその録画番組ＩＤを含むレコードがすべて削除されたとき、削除実行部１６５は、その録画番組を情報記録装置１３から削除する。
【００３５】
例えば、図４に示した録画番組管理テーブル１６９において、ユーザＩＤ「１」のユーザから録画番組ＩＤ「ａ」の録画番組の削除要求があったとき、削除実行部１６５は、録画番組管理テーブル１６９から１行目のレコード、すなわち、ユーザＩＤ「１」と録画番組ＩＤ「ａ」とを対応付けたレコードを削除する。当該レコードが削除されても録画番組ＩＤ「ａ」を含むレコードが録画番組管理テーブル１６９に残っているため、削除実行部１６５は、情報記録装置１３から録画番組ＩＤ「ａ」の録画番組を削除しない。その後、ユーザＩＤ「２」のユーザから録画番組ＩＤ「ａ」の録画番組の削除要求があったとき、削除実行部１６５は、録画番組管理テーブル１６９からユーザＩＤ「２」と録画番組ＩＤ「ａ」とを対応付けたレコードを削除することで、録画番組管理テーブル１６９から録画番組ＩＤ「ａ」を含むレコードがなくなる。このとき初めて、削除実行部１６５は、情報記録装置１３から録画番組ＩＤ「ａ」の録画番組を削除する。
【００３６】
なお、削除実行部１６５は、いきなり録画番組を復元不可能に削除してしまうのではなく、まずは復元可能に削除、すなわち論理削除し、その後必要に応じて（例えば、情報記録装置１３の残容量が所定値を下回ったときや録画番組を論理削除してから一定時間が経過したときなど）、論理削除した録画番組を復元不可能に削除、すなわち物理削除することができる。論理削除された録画番組は、録画番組一覧などには表示されなくなるが、その実体データが削除されたわけではないため、特別な操作をすることで削除されていない状態に戻すことができる。したがって、録画番組を論理削除することによって、ユーザの誤操作により削除された録画番組やユーザが希望しないのに自動的に削除された録画番組などを復元することができ、ユーザの利便性を向上することができる。
【００３７】
図５は、本実施形態に係る録画再生装置１０の動作例を示すシーケンス図である。ユーザＩＤ「１」のユーザ（以下、ユーザ「１」）が録画再生装置１０に対して録画要求をすると（Ｓ１１）、録画再生装置１０における録画実行部１６１は、要求された番組の番組ＩＤを電子番組ガイド情報から取得する（Ｓ１０１）。その結果、番組ＩＤとして「Ａ」が取得され、録画実行部１６１は、録画要求管理テーブル１６７に番組ＩＤ「Ａ」が存在するかを検索する（Ｓ１０２）。録画要求管理テーブル１６７に、番組ＩＤ「Ａ」について既存の予約情報がなければ、録画実行部１６１は、ユーザＩＤ「１」、番組ＩＤ「Ａ」のレコードを録画要求管理テーブル１６７に追加する（Ｓ１０３）。これにより、ユーザ「１」の録画要求の登録が完了する（Ｓ１２）。
【００３８】
次に、ユーザ「１」の録画要求に遅れて、ユーザＩＤ「２」のユーザ（以下、ユーザ「２」）が録画再生装置１０に対して録画要求をすると（Ｓ２１）、録画実行部１６１は、要求された番組の番組ＩＤを電子番組ガイド情報から取得する（Ｓ１０４）。その結果、番組ＩＤとして「Ａ」が取得される、録画実行部１６１は、録画要求管理テーブル１６７に番組ＩＤ「Ａ」が存在するかを検索する（Ｓ１０５）。録画要求管理テーブル１６７にはすでにユーザ「１」による番組ＩＤ「Ａ」の予約情報が存在するため、録画実行部１６１は、番組ＩＤ「Ａ」に対応するユーザＩＤとして「２」を追加し、録画要求管理テーブル１６７において番組ＩＤ「Ａ」に対応するユーザＩＤを「１、２」に更新する（Ｓ１０６）。これにより、ユーザ「２」の録画要求の登録が完了する（Ｓ２２）。その後、録画実行部１６１は、番組ＩＤ「Ａ」の番組の録画を実行し（Ｓ１０６）、ユーザ「１」およびユーザ「２」がそれぞれ要求した番組の録画が完了する（Ｓ１３、Ｓ２３）。また、録画実行部１６１は、録画要求管理テーブル１６７の情報を引き継いで録画番組管理テーブル１６９を作成する（Ｓ１０８）。録画番組管理テーブル１６９には、ユーザＩＤ「１」、録画番組ＩＤ「ａ」のレコードと、ユーザＩＤ「２」、録画番組ＩＤ「ａ」のレコードが追加される。
【００３９】
ユーザ「１」およびユーザ「２」は録画番組を適宜視聴し（Ｓ１４、Ｓ２４）、まず、ユーザ「２」が録画番組ＩＤ「ａ」の録画番組の削除を要求する（Ｓ２５）。録画再生装置１０における削除実行部１６５は、当該削除要求を受けて、録画番組管理テーブル１６９からユーザＩＤ「２」、録画番組ＩＤ「ａ」のレコードを削除する（Ｓ１０９）。その後、ユーザ「１」が録画番組ＩＤ「ａ」の録画番組の削除を要求する（Ｓ１５）。削除実行部１６５は、当該削除要求を受けて、録画番組管理テーブル１６９からユーザＩＤ「１」、録画番組ＩＤ「ａ」のレコードを削除する（Ｓ１１０）。これにより、録画番組管理テーブル１６９から録画番組ＩＤ「ａ」を含むレコードがなくなるため、削除実行部１６５は、情報記録装置１３から録画番組ＩＤ「ａ」の録画番組の削除を実行する（Ｓ１１１）。
【００４０】
以上のように本実施形態によると、受信処理部１１における複数のチューナーで同一チャンネルを受信することも、情報記録装置１３に同一番組を重複して記録することもなくなり、有限のリソースを有効に活用することができる。また、複数のユーザによって録画要求されて１件のみ録画された番組について、他のユーザの削除要求にかかわらずユーザごとに番組の削除管理を行うことができる。
【符号の説明】
【００４１】
１０    録画再生装置
１３    情報記録装置
１６１  録画実行部
１６３  再生実行部
１６５  削除実行部
１６７  録画要求管理テーブル
１６９  録画番組管理テーブル
【図１】
2015095871.tif 000003
【図２】
2015095871.tif 000004
【図３】
2015095871.tif 000005
【図４】
2015095871.tif 000006
【図５】
2015095871.tif 000007